(57)【要約】【課題】列車走行に係る制御安全性の検証精度の確保と、検証作業の効率向上とを同時に達成しうる車上データベースを用いた列車制御におけるシミュレーションシステム、及び、車上装置を提供する。【解決手段】車上データベースを用いた列車制御におけるシミュレーションシステムは、模擬信号処理部４２と、模擬信号送信部４３とを含み、模擬信号処理部４３は、走行中に外部から供給される地点情報（Ｓ１０）に基づき、搭載車両が任意の地点に到達したと判断したと判断したとき、到達地点に対応する制御情報Ｓ１１を生成し、模擬信号送信部４３を通じて模擬的に発信する。【選択図】図１
2014217138.tif 000002
【特許請求の範囲】
【請求項１】
模擬信号処理部と、模擬信号送信部とを含み、車両に搭載して用いられ、車上データベースを用いた列車制御におけるシミュレーションシステムであって、
前記模擬信号処理部は、搭載車両の走行中に外部から供給される地点情報に基づき、前記搭載車両が任意の地点に到達したと判断したとき、前記到達地点に対応する制御情報を、前記模擬信号送信部を通じて模擬的に発信する、
シミュレーションシステム。
【請求項２】
請求項１に記載されたシミュレーションシステムであって、
前記模擬信号処理部は、車両制御が行われるべき地点の位置情報と、前記地点における制御情報とを有し、前記搭載車両の走行中に外部から供給される地点情報を、前記位置情報に照らし合わせて前記搭載車両の現在位置を把握し、前記把握した現在位置における前記制御情報を生成する、
シミュレーションシステム。
【請求項３】
請求項２に記載されたシミュレーションシステムであって、
前記模擬信号処理部は、前記走路において地上子が設置されている地点の位置情報と、地上子が設置されていない任意の地点の位置情報とを有している、
シミュレーションシステム。
【請求項４】
請求項２又は３に記載されたシミュレーションシステムであって、
前記模擬信号処理部は、前記把握した制御情報を格納する、
シミュレーションシステム。
【請求項５】
請求項１乃至４の何れかに記載されたシミュレーションシステムを含み、前記シミュレーションシステムから発信される前記制御情報に基づいて車両制御を行う、
車上装置。
【発明の詳細な説明】
【技術分野】
【０００１】
本発明は、車上データベースを用いた列車制御におけるシミュレーションシステム、及び、車上装置に関する。
【背景技術】
【０００２】
従来、新型車両の導入や、運行計画の改正などによる列車運行の制御安全性を検証する方法として、走行記録装置を搭載させた車両を、実際の走路上で模擬走行させることが知られている。この検証方法では、カーブや勾配、速度制限箇所、信号など、実際の走路における地上側設備の情報に基づき、検証作業のための実効的な模擬走行記録を採ることができる反面、営業時間に行うことができない点で問題がある。
【０００３】
すなわち、営業時間内で搭載車両を模擬走行させる場合、他の通常運行列車への安全性を確保するため、検証対象となる走行区間を線路閉鎖する必要があり、列車運行管理上、過剰な負担となる。この負担を回避するには、営業時間を避けて、深夜に模擬走行を行わざるを得ず、その結果、検証作業の効率低下、及び、コスト高を招く。
【０００４】
上述した従来の検証方法における問題を回避する技術として、例えば特許文献１乃至３に記載されたものが知られている。特許文献１乃至３に記載された技術は、いわゆる模擬装置であって、実際の走路における地上側設備の情報に基づき、コンピュータ上に走路シミュレーションを構築し、模擬走行実験を行うことにより、列車運行の制御安全性を検証するものである。
【０００５】
特許文献１乃至３に係る模擬装置を用いた模擬走行実験は、一般に、車両に模擬装置を取り付け、工場内などに据え置きした状態で行われるから、実際の走路上を模擬走行させる場合と異なり、線路閉鎖による負担が回避される。同様に、営業時間を避けて深夜に模擬走行実験をおこなう必要もないから、時間的制限による検証作業の効率低下、及び、コスト高の問題も回避される。
【０００６】
しかし、特許文献１乃至３に係る模擬装置では、以下の点で新たな問題が生じる。すなわち、この種の列車運行の制御安全性に係る検証精度は、鉄道利用客の安全確保に直接関連するものであるから、可能な限り高精度化が求められるところ、実際の走路上に存在する全ての地上側設備の情報を網羅する完全な走路シミュレーションを構築することは現実的に困難であるから、検証精度を確保することができない。
【先行技術文献】
【特許文献】
【０００７】
【特許文献１】特開平１１−０７８８９１号公報
【特許文献２】特開２００２−０２９４２３号公報
【特許文献３】特表２００７−５３２９４１号公報
【発明の概要】
【発明が解決しようとする課題】
【０００８】
本発明の課題は、列車走行に係る制御安全性の検証精度の確保と、検証作業の効率向上とを同時に達成しうる車上データベースを用いた列車制御におけるシミュレーションシステム、及び、車上装置を提供することである。
【課題を解決するための手段】
【０００９】
上述した課題を解決するため、本発明に係る車上データベースを用いた列車制御におけるシミュレーションシステムは、車両に搭載して用いられるものであって、模擬信号処理部と、模擬信号送信部とを含む。模擬信号処理部は、搭載車両の走行中に外部から供給される地点情報に基づき、搭載車両が任意の地点に到達したと判断したとき、到達地点に対応する制御情報を、模擬信号送信部を通じて模擬的に発信する。
【００１０】
上述のように、本発明に係るシミュレーションシステムを構成する模擬信号処理部は、走行中に外部から供給される地点情報に基づき、搭載車両が任意の地点に到達したとき、到達地点に対応する制御情報を、模擬信号送信部を通じて模擬的に発信するから、実際の走路上で模擬走行実験を行うことが可能となる。従って、列車走行に係る制御安全性の検証精度の確保することができる。
【００１１】
模擬信号送信部から模擬的に発信される制御情報は、搭載車両の走行中に外部から供給される地点情報に基づき、模擬信号処理部において演算処理された模擬的な情報である。従って、模擬信号処理部を適宜設定することにより、営業時間を避けて、深夜に検証作業をおこなう必要もなくなるから、列車走行に係る制御安全性の検証精度の向上と、検証効率の向上とを同時に達成することができる。
【発明の効果】
【００１２】
以上述べたように、本発明によれば、列車走行に係る制御安全性の検証精度の向上と、検証効率の向上とを同時に達成しうる車上データベースを用いた列車制御におけるシミュレーションシステム、及び、車上装置を提供することができる。
【００１３】
本発明の他の目的、構成及び利点については、添付図面を参照し、更に詳しく説明する。添付図面は、単に、例示に過ぎない。
【図面の簡単な説明】
【００１４】
【図１】本発明の実施形態に係る車上データベースを用いた列車制御におけるシミュレーションシステムのブロック図である。
【図２】図１のシミュレーションシステムを用いた模擬走行を示す図である。
【図３】図１のシミュレーションシステムを用いた模擬走行を示す図である。
【発明を実施するための形態】
【００１５】
図１乃至図３において同一符号は、同一又は対応部分を示すものとする。本発明に係る車上データベースを用いた列車制御におけるシミュレーションシステム４は、車両１に搭載され、車上装置２の一部として用いられるものである。この種の車上装置２は、地上装置と組み合されて列車制御装置を構成する。
【００１６】
図１の地上装置は、軌道１０の一定区間毎に設置される地上子Ｔを含む。地上子Ｔは、典型的には閉そく区間毎に設置され、当該地上子Ｔが設置されている地点の情報、対応する信号機の信号現示情報、さらには閉そく信号機が示す閉そく境界の位置などの制御情報Ｓ１０を車上装置２に供給する。
【００１７】
図１の車上装置２は、この種の車上装置における基本的な構成、すなわち、床下Ｓ形車上子２１、Ｐ車上子２２、ＳＷ車上子２３、車上データベース処理部２４、車軸回転検出器２５などに加え、シミュレーションシステム４を有している点に特徴の一つがある。以下、シミュレーションシステム４を中心に説明する。
【００１８】
シミュレーションシステム４は、地点検知用送受信器４１と、模擬信号処理部４２と、模擬信号送信部４３とを含む。地点検知用送受信器４１は、搭載車両１の走行中に、床下Ｓ形車上子２１を通じて地上子Ｔから供給される制御情報Ｓ１０を、模擬信号処理部４２に供給する。
【００１９】
模擬信号処理部４２は、制御情報Ｓ１０に基づき、搭載車両１が任意の地点に到達したと判断したとき、到達地点に対応する制御情報Ｓ１１を生成し、模擬信号送信部４３を通じて模擬的に発信する。より詳細に説明すると、図１の模擬信号処理部４２は、模擬データベース処理部４４と、監視部４５とを有している。
【００２０】
模擬データベース処理部４４は、搭載車両１が実際に走行する所定の走路において、車両制御が行われるべき複数の地点の情報と、地点のそれぞれで行われるべき車両制御動作とをデータ化した制御情報Ｓ１１を有し、走行中に地上子Ｔから供給される制御情報Ｓ１０を、制御情報Ｓ１１に照らし合わせて搭載車両１の現在位置を把握し、把握した現在位置に対応する制御情報Ｓ１１を出力する。
【００２１】
模擬データベース処理部４４に格納される地点情報は、走路の全長距離や軌道ＩＤ、閉そく数、閉そく長、閉そく境界の位置、勾配、制限速度、駅間の距離と最高速度、軌道曲線や勾配、分岐器の設置数と設置位置、地上子Ｔの設置数と設置位置、信号機の設置数と設置位置、信号現示系列情報などをデータ化したものである。模擬データベース処理部４４に格納される地点情報には、走路において地上子Ｔが設置されている地点の情報に加え、地上子Ｔが設置されていない任意の地点の情報とを含むことができる。
【００２２】
模擬データベース処理部４４に格納される車両制御のための情報には、地点のそれぞれに対応する停止目標位置のほか、搭載列車の車両形式、搭載している車軸回転検出器の種別、車両最高速度、車両種別毎の修正速度、減速度、空走時間、車上子取付位置などをデータ化した車両性能情報も含まれる。
【００２３】
模擬信号処理部４２は、地上子Ｔからの制御情報Ｓ１０と、走行中の搭載車両１から供給される速度情報Ｓ２０とを、模擬データベース処理部４４に格納された制御情報Ｓ１１に照らし合わせて搭載車両１の現在位置を把握し、把握した現在位置に対応する制御情報Ｓ１１を、模擬信号送信部４３に供給する。速度情報Ｓ２０は、例えば地上子Ｔ間における現在地を把握するため、搭載車両１に取り付けられた車軸回転検出器２５などから受領する。もっとも、速度情報Ｓ２０は、電磁波や、無線（ＣＢＴＣ）差分、ＧＰＳ差分などからも求めることができる。
【００２４】
模擬信号送信部４３は、車上子試験器４６と、Ｐ模擬地上子４７と、ＳＷ模擬地上子４８とを有し、模擬信号処理部４２から供給された制御情報Ｓ１１を模擬的に発信する。具体的に、模擬信号処理部４２から供給された制御情報Ｓ１１は、車上子試験器４６の演算処理によってＰ車上子２２、及び、ＳＷ車上子２３の信号特性に応じて変換され、変換された制御情報Ｓ１１がＰ模擬地上子４７と、ＳＷ模擬地上子４８とのそれぞれから模擬的に発信される。
【００２５】
車上データベース処理部２４は、制御情報Ｓ１１に基づいて制御情報Ｓ１２を生成する。生成された制御情報Ｓ１２は、車両制御へ供給される。制御情報Ｓ１０、制御情報Ｓ１１、及び、制御情報Ｓ１２は、実質的に同一の情報である。
【００２６】
車上データベース処理部２４は、所定の走路において車両制御が行われるべき地点の位置情報と、地点で行われるべき車両制御動作とをデータ化した制御情報Ｓ１２を有している。制御装置部を構成するデータベース部に格納される情報は、走路の全長距離や軌道ＩＤ、閉そく数、閉そく長、閉そく境界の位置、勾配、制限速度、駅間の距離と最高速度、軌道曲線や勾配、分岐器の設置数と設置位置、地上子Ｔの設置数と設置位置、信号機の設置数と設置位置、信号現示系列情報などをデータ化したものである。すなわち、車上データベース処理部２４は、模擬データベース処理部４４と同一の情報を有している。違う言葉で表現すれば、模擬データベース処理部４４は、少なくとも、車上データベース処理部２４に含まれる情報を全て有している。
【００２７】
車上データベース処理部２４は、制御情報Ｓ１１を、制御情報Ｓ１２に照らし合わせて当該車両１の現在位置を把握し、把握した現在位置の制御情報Ｓ１２を監視部４５に出力する。すなわち、監視部４５には、模擬信号処理部４２による制御情報Ｓ１１と、車上データベース処理部２４による制御情報Ｓ１２とが格納される。
【００２８】
図１のシミュレーションシステム４を用いた模擬走行について、さらに図２、及び、図３を参照して説明する。図２及び図３において、符号Ｔ１、Ｔ３は閉そく区間毎に設置される地上子であり、閉そく境界ＢＳ１乃至ＢＳ３によって画定される閉そく区間が示されている。
【００２９】
まず、図１及び図２を参照すると、車上装置２は、搭載車両１が進行方向Ｆに走行し、地上子Ｔ１が設置された現在位置に到達したとき、床下Ｓ形車上子２１と地上子Ｔ１とが結合することにより、地上子Ｔ１から制御情報Ｓ１０を受信する。
【００３０】
シミュレーションシステム４は、床下Ｓ形車上子２１を通じて供給される制御情報Ｓ１０を、制御情報Ｓ１１に照らし合わせて搭載車両１の現在位置を把握し、把握した現在位置に対応する制御情報Ｓ１１を生成し、車上データベース処理部２４に模擬的に発信する。車上データベース処理部２４は、制御情報Ｓ１１に基づき現在位置ＢＳ１を把握する一方で、把握した現在位置ＢＳ１における制御情報Ｓ１２を車両制御へ供給するとともに、監視部４５に出力する。
【００３１】
他方、図１及び図３に示すように、模擬データベース処理部４４の制御情報Ｓ１１は、地上子が設置されていない任意の地点Ｔ２の位置情報とを含むことができる。模擬信号処理部４２は、走行中に外部から供給される地点情報に基づき、搭載車両１が任意の地点Ｔ２に到達したと判断したとき、到達地点Ｔ２に対応する制御情報Ｓ１１を生成し、模擬信号送信部４３を通じて模擬的に発信する。この構成により、地上子が設置されていない任意の地点Ｔ２に、データ上の仮想地上子（Ｔ２）を設置することができる。
【００３２】
ところで、既に説明したところではあるが、従来、新型車両導入や、運行計画の改正などによる列車運行の制御安全性を検証する方法として、走行記録装置を搭載させた車両を、実際の走路上で模擬走行させることが行われている。この検証方法では、カーブや勾配、速度制限箇所、信号など実際の走路における地上側設備の情報に基づき、検証作業のための実効的な模擬走行記録を採ることができる反面、営業時間に行うことができない点で問題がある。
【００３３】
すなわち、営業時間内で搭載車両を模擬走行させる場合、他の通常運行列車への安全性を確保するため、検証対象となる走行区間を線路閉鎖する必要があり、列車運行管理上、過剰な負担となる。この負担を回避するには、営業時間を避けて、深夜に模擬走行を行わざるを得ず、その結果、検証作業の効率低下、及び、コスト高を招く。
【００３４】
上述した従来の検証方法における問題を回避する技術として、いわゆる模擬装置（特許文献１乃至３参照）が知られている。この種の模擬装置は、実際の走路における地上側設備の情報に基づき、コンピュータ上に走路シミュレーションを構築し、車両１に模擬装置を取り付け、工場内などに据え置きした状態で模擬走行実験を行うことにより、列車運行の制御安全性を検証するものである。
【００３５】
しかし、従来の模擬装置では、以下の点で新たな問題が生じる。すなわち、シミュレータ装置はＰＣなどで構成され、模擬伝送装置や模擬システムとして使用されている。一般的にシミュレータ装置は、工場内などで据え置き形にてソフトデバック等に使用され、装置と一緒に列車に実装し、動的なシミュレーションは実施していなかった。この種の列車運行の制御安全性に係る検証精度は、鉄道利用客の安全確保に直接関連するものであるから、可能な限り高精度化が求められるところ、実際の走路上に存在する全ての地上側設備の情報を網羅する完全な走路シミュレーションを構築することは現実的に困難であるから、検証精度を確保することができない。
【００３６】
これに対し、図１乃至図３を参照して説明した本発明の実施形態に係る模擬装置は、上述した問題を全て解決することができる。すなわち、模擬装置は、車上装置２を構成することにより、車両１に搭載されて用いられるから、実際の走路上で模擬走行させることが可能である。従って、列車走行に係る制御安全性の検証精度の確保することができる。
【００３７】
模擬データベース処理部４４は、所定の走路において車両制御が行われるべき地点の位置情報を有している。模擬信号処理部４２は、走行中に外部から供給される制御情報Ｓ１０を、模擬データベース処理部４４の制御情報Ｓ１１に照らし合わせて搭載車両１の現在位置を把握するとともに、現在位置に対応する制御情報Ｓ１１を生成する。上述した構成によると、車両１を実際の走路上で走行させながら、走行中の車両１に実際に供給される制御情報Ｓ１０に基づいて、シミュレーションを行うことができる。従って、列車走行に係る制御安全性の検証精度の向上させることができる。
【００３８】
模擬信号処理部４２は、走行中に外部から供給される制御情報Ｓ１０を、模擬データベース処理部４４の制御情報Ｓ１１に照らし合わせて搭載車両１の現在位置を把握するとともに、現在位置に対応する制御情報Ｓ１１を生成する。すなわち、模擬信号処理部４２で生成される制御情報Ｓ１１は、実際の制御情報Ｓ１０に基づき演算処理された模擬の情報である。従って、模擬データベース処理部４４に格納される制御情報Ｓ１１を適宜設定することにより、営業時間を避けて、深夜に検証作業をおこなう必要もないから、検証作業の効率が向上する。従って、列車走行に係る制御安全性の検証精度の向上と、検証効率の向上とを同時に達成することができる。
【００３９】
具体的に、模擬データベース処理部４４の制御情報Ｓ１１は、好ましくは走路において地上子Ｔ１、Ｔ３の制御情報Ｓ１０と、仮想地上子Ｔ２の制御情報Ｓ１０とを含むことができる。このように制御情報Ｓ１１を設定することにより、実際の走路上の情報に限定されず、様々な条件でシミュレーションを行うことができる。従って、列車走行に係る制御安全性の検証精度の向上と、検証効率の向上とを同時に達成することができる。
【００４０】
以上、好ましい実施例を参照して本発明の内容を具体的に説明したが、本発明の基本的技術思想及び教示に基づいて、当業者であれば、種種の変形態様を採り得ることは自明である。
【符号の説明】
【００４１】
１              搭載車両
２              車上装置
３              地上装置
４              シミュレーションシステム
４２            模擬信号処理部
４３            模擬信号送信部
Ｓ１０〜Ｓ１２  制御情報
【図１】
2014217138.tif 000003
【図２】
2014217138.tif 000004
【図３】
2014217138.tif 000005